(57)【特許請求の範囲】
【請求項１】
納骨室（１）の納骨口（２）を開閉する引き戸（３）を具備する墓石において、
前記引き戸（３）は、納骨口（２）の前方下縁に沿って側方に延長する軌道（４）と、当該軌道（４）に沿って摺動自在に載置する扉石（５）を備え、
前記軌道（４）は、扉石（５）を下方より支持する表受け部（４ｂ）を備え、
前記表受け部（４ｂ）は扉石（５）を起立可能に支持する水平面又は表側に下った傾斜面を備え、
当該水平面又は傾斜面は、納骨口（２）の閉鎖時には、扉石（５）の重心（Ｏ）より上位に対して扉石（５）の裏側に向かうモーメント（ｍ２）の支点となると共に、扉石（５）を梃子の原理で安定した起立状態として開放する際には、梃子の支点となる支持縁（４ａ）を備え、
前記扉石（５）は、前記表受け部（４ｂ）の前記水平面又は傾斜面に定着する表踏面（５ａ）と、当該表踏面（５ａ）が前記支持縁（４ａ）に接しつつ水平面又は傾斜面から離隔する姿勢を保ちつつ前記支持縁（４ａ）上納骨口（２）を封じる裏面を備え、
前記扉石（５）又は軌道（４）に、前記水平面又は傾斜面に定着する表踏面（５ａ）を前記水平面又は傾斜面の上に留める軌道離脱防止手段（６）を備えることを特徴とする墓石。
【請求項２】
前記扉石（５）は、その下部に重心（Ｏ）を置くことを特徴とする前記請求項１に記載の墓石。
【請求項３】
前記納骨室（１）における納骨口（２）の周縁部に突条（７）を備え、前記扉石（５）の裏面に当該突条（７）が嵌る凹部（８）を備えることを特徴とする前記請求項１又は請求項２のいずれかに記載の墓石。
【請求項４】
前記扉石（５）の裏面に設けた接合面、又は当該接合面に面した納骨口（２）の、上縁部及び左右両側縁部に沿って、コの字状に連続した水抜き溝（１１）を備えることを特徴とする前記請求項１乃至請求項３のいずれかに記載の墓石。
【発明の詳細な説明】
【技術分野】
【０００１】
本発明は、墓（素材が石であるか否かに関わらず「墓石」と記す）の納骨口を封じる扉（素材が石であるか否かに関わらず「扉石」と記す）を具備した墓石に関する。
【背景技術】
【０００２】
従来の墓石の扉石は、戸尻側に設けた軸を軸として回転することにより開閉する扉石（以下「開き戸」と記す）や（例えば、下記両特許文献参照）、納骨口に沿って設けたガイドに沿ってスライドして開閉する扉石（以下「引き戸」と記す）が挙げられる（例えば下記特許文献２参照）。
【０００３】
開き戸にあっては、石は比較的比重が重く重量バランスの関係で片持ちの支持が困難であり、回転軸を中央寄りとすれば、納骨室が狭くなる他、納骨口の間口が狭くなるという問題がある。また、開き戸は、風雨や草や虫が侵入し易く、間口の床に水返しが設定されることが多いが、当該水返しの存在も、納骨の便を悪化させる要因となる。
引き戸にあっては、扉石の重量等により、特に、女性や老人には開閉が困難であり、砂埃等の蓄積によってそれが助長される場合が多い他、扉石の転倒によって手足を負傷する虞もある。
【先行技術文献】
【特許文献】
【０００４】
【特許文献１】特開２００３−３４３１２０号公報
【特許文献２】特開２０１０−１８９８４８号公報
【発明の概要】
【発明が解決しようとする課題】
【０００５】
本発明は上記実情に鑑みてなされたものであって、風雨や草や虫の侵入を防止し、開閉が容易な納骨時の便宜を図ると共に、扉石の転倒によって手足を負傷する虞も除去し得る扉石を備えた墓石の提供を目的とする。
【課題を解決するための手段】
【０００６】
上記課題を解決するためになされた本発明による墓石は、納骨室の納骨口を開閉する引き戸を具備する墓石において、前記引き戸は、納骨室の外部の納骨口の前方下縁に沿って側方に延長する軌道と、当該軌道に沿って摺動自在に載置する扉石を備えたものである。
【０００７】
そして、その特徴とするところは、主に、前記軌道は、扉石を下方より支持する表受け部を備え、前記表受け部は扉石の重心の回りのモーメントを起立可能に調整・支持する水平面又は表側に下った傾斜面を備え、当該水平面又は傾斜面は、納骨口の閉鎖時には、扉石の重心より上位に対して扉石の裏側に向かうモーメントの支点となると共に、扉石を梃子の原理で安定した起立状態として開放する際には、梃子の支点となる支持縁を備え、前記扉石は、前記表受け部の前記水平面又は傾斜面に定着する表踏面と、当該表踏面が前記支持縁に接しつつ水平面又は傾斜面から離隔する姿勢を保ちつつ前記支持縁上納骨口を封じる裏面を備え、前記扉石又は軌道に、前記水平面又は傾斜面に定着する表踏面を前記水平面又は傾斜面の上に留める軌道離脱防止手段を備えることにある。
【０００８】
水の侵入を防ぐべく、前記扉石の裏面に設けた接合面、又は当該接合面に面した納骨口の、上縁部及び左右両側縁部に沿って、コの字状に連続した水抜き溝を備える構成としてもよい。
尚、墓石は、扉石を含めて、自然石のみならず、墓石として求められる性状の面で、自然石と同一視できる素材からなるものを含む。
【０００９】
前記扉石は、その下部に重心を置くことにより墓石の転倒を防止することができ、また、転倒したとしても、扉石の上部が周囲の物体（例えば人体など）に及ぼす被害を緩和することができ、再び起こすことも容易となる。表踏面は、傾斜面の方が扉石の起立安定への緩和調整作業が容易であり、石材量も少なくて済み軽量となる結果、操作性が高まる点で望ましい。
【００１０】
また、前記納骨室における納骨口の周縁部に突条を備え、前記扉石の裏面に当該突条が嵌る凹部を備える構造であってもよい。凹部の形状としては、前記突条と略同形状を以て収容する溝構造でも良いし、当該突条と略同形状の外縁部を以て収容し、その内側を削り取った穴構造であっても良い。
【発明の効果】
【００１１】
本発明による墓石は、前記引き戸として、納骨室の外部の納骨口の前方下縁に沿って側方に延長する軌道と、当該軌道に沿って摺動自在に載置する扉石を備えた構造の下、前記軌道は、扉石を下方より支持する表受け部を備え、前記表受け部は扉石を起立可能に支持する水平面又は表側に下った傾斜面を備え、当該水平面又は傾斜面は、納骨口の閉鎖時には、扉石の重心より上位に対して扉石の裏側に向かうモーメントの支点となると共に、扉石を梃子の原理で安定した起立状態として開放する際には、梃子の支点となる支持縁を備え、前記扉石は、前記表受け部の前記水平面又は傾斜面に定着する表踏面と、当該表踏面が前記支持縁に接しつつ水平面又は傾斜面から離隔する姿勢を保ちつつ前記支持縁上納骨口を封じる裏面を備えることによって、外観上、納骨室と扉石との一体性を与えつつ、開閉の際は、扉石の起立位置を、支持縁を支点として梃子の原理によって変更するのみで、容易に納骨室との干渉を解除すると共に、引き戸の障子の様に側方への移動を可能とすることができる。
支持縁を有効に利用すれば、軌道と扉石との摩擦を低減できるので、女性や老人にとっても、容易に開閉することができる。
【００１２】
また、前記表受け部は扉石の重心の回りのモーメントを、扉石が安定起立できる程度に緩和する水平面又は表側に下った傾斜面を備え、扉石の墓参者への転倒を防止することができ、前記扉石又は軌道に、表踏面を前記水平面又は傾斜面の上に留める離脱防止手段を備えることによって、扉石の軌道からの離脱を防止できる。更に、扉石の重心をその下部に置くことにより、墓石の転倒を防止することができる他、梃子の原理によって扉石の操作及び支持が容易となり、仮に転倒したとしても、扉石の上部が周囲の物体（例えば人体など）に及ぼす被害を緩和することができ、再び起こすことも容易となる。
【００１３】
一方、前記裏受け部は、支持縁上にある扉石の重心より上位に対して裏側に向かうモーメントを、与える受け面を備えることによって、納骨室の間口を封じる際には、十分な密封強度を確保することもができる。
加えて、前記納骨室における納骨口の周縁部に突条を備え、前記扉石の裏面に当該突条が嵌る凹部を備える構造を採ることによって、風雨や草や虫が侵入し難く、風雨の侵入も防止できる。
【図面の簡単な説明】
【００１４】
【図１】本発明による墓石における引き戸の動作状態の一例を説明する二方向から見た側面図である。
【図２】本発明による墓石における引き戸の動作状態の一例を説明する二方向から見た側面図である。
【図３】本発明による墓石における引き戸の動作状態の一例を説明する二方向から見た側面図である。
【図４】本発明による墓石における引き戸の動作状態の一例を説明する二方向から見た側面図である。
【図５】本発明による墓石の扉石にかかる力の一例を説明する説明図である。
【図６】本発明による墓石における引き戸の動作状態の一例を説明する側面図である。
【図７】本発明による墓石における引き戸の動作状態の一例を説明する側面図である。
【図８】本発明による墓石における引き戸の表裏方向への動作状態の一例を説明する側面図である。
【発明を実施するための形態】
【００１５】
以下、本発明による墓石の実施の形態を図面に基づき説明する。
尚、ここでは、納骨室１、引き戸３、及びそれらに関わる部位を構成する墓石の説明に留め、竿石等の図示及び説明は省略する。
【００１６】
図１乃至図８に示す例は、納骨室１の納骨口２を開閉する引き戸３を具備する墓石である。
図に示す例の納骨室１は、その側方を中台石１ａで囲むと共に、上下を上台石１ｂ及び下台石１ｃで封じることによって構成する。納骨口２は、当該納骨室１の一方向を封じる中台石１ａの一部を開放して形成し、中台石１ａには、必要に応じて気道９を形成する。
【００１７】
前記引き戸３は、納骨室１が備える納骨口２の前方下縁に沿って側方に延長する軌道４と、当該軌道４に沿って摺動自在に載置する扉石５を備える。
図１乃至図３に示す例の軌道４は、支持縁４ａを境に表受け部４ｂ及び裏受け部４ｃを備え、前記表受け部４ａは、扉石５を安定した起立状態に支持する開放台を備え、前記裏受け部４ｃは、納骨口２を封じる扉石５の下面に面し、納骨室１側へ傾斜する誘導面を備える。
尚、図４乃至図８に示す例では、裏受け部４ｃを設けず、表受け部４ｂの最も納骨口２に近い側に支持縁４ａを備えた構造とする。
【００１８】
前記扉石５は、当該扉石５の裏面に納骨口２の周縁部に倣う接合面を備え、最下部に比較して上部を十分に薄肉とする構造を採り、扉石５の中央部より十分下位に重心Ｏを設定した構造を採る。
また、当該扉石５は、前記表受け部４ｂ上にあって前記開放台に定着する表踏面５ａを備える。
尚、扉石５は、幅方向へ複数に分割した形態を採っても良いが、分割部から風雨が侵入しない様に、接合部に傾斜を設けることや凹凸等による嵌合面を設けることが望ましい。
【００１９】
上記軌道４と扉石５は、表受け部４ｂの開放台の傾斜（水平を含む）と表踏面５ａの傾斜の組み合わせにより、当該扉石５の重心Ｏの縦回りのモーメントｍ１を緩和し、安定した起立状態を維持する一方、支持縁の真上（図４並びに図６及び図７の一点鎖線）に対して扉石５の重心（（図４並びに図６及び図７の点））Ｏを納骨室１側へ移動させることにより、扉石５の重心Ｏより上位に対して当該扉石５の裏側に向かうモーメントｍ２を与え、当該扉石５の裏面を納骨口２の周辺部に密着させた安定した姿勢を維持する（図５参照）。
【００２０】
図１に示す例は、前記表受け部４ｂに、前記開放台として表側に下った傾斜面を備えると共に、扉石５の表踏面を当該傾斜面の上に留める軌道離脱防止手段６たる突出部６ａを傾斜面の下位に備えた例であり、当該例の扉石５の表踏面５ａとして、扉石５の表裏に亘って一様に傾斜する平面としたものである。
傾斜面は、扉石５の重心Ｏの縦回りのモーメントｍ１を緩和して、扉石５を起立可能に安定させられる限り、表踏面５ａに倣う平面でもよく、円弧上の湾曲面でも良い。また、前記開放台は、前記傾斜面に替えて水平面でもよく（図６(Ａ)（Ｂ）参照）、その各々にあっては、当該表受け部４ｂと支持縁４ａとで支持縁４ａから表受け部４ｂにかけて一様に下る受け部を間欠的に形成してもよい。
【００２１】
図２に示す例は、前記表受け部４ｂに、前記開放台として表側に下った傾斜面を備えると共に、扉石５の表踏面５ａを傾斜面の上に留める軌道離脱防止手段６として、支持縁４ａを超えた裏受け部４ｃの上位に係止部を備えた例であり、当該例の扉石５の表踏面５ａとして、扉石５の表側に一様に傾斜する平面部を設けると共に、扉石５の裏面側に、前記係止部に係る突出部６ａを軌道離脱防止手段６として設けたものである。
また、前記開放台は、前記傾斜面に替えて水平面でもよく、その各々にあっては、当該表受け部４ｂと支持縁４ａとで支持縁４ａから表受け部４ｂにかけて一様に下る受け部を間欠的に形成してもよいし、扉石５の側面に指が掛かるクボミ１０を設けても良い。
【００２２】
図３及び図５に示す例は、前記納骨室１における納骨口２の周縁部に突条７を備え、前記扉石５の裏面に当該突条７が嵌る凹部８を備えたものである。
【００２３】
以上の如く構成された墓石によれば、扉石５は、重力によって納骨口２を隙間なくふさぐこととなり、虫や水の侵入を回避することができる他、更に、納骨口２の周縁部に突条７を備え、前記扉石５の裏面に当該突条７が嵌る凹部８を備えれば、納骨口２に水切りを設けなくとも風雨の吹き込みを防止することができる。
【００２４】
また、納骨口２に向かって傾倒する扉石５には重力が加わっていることから、納骨口２の封鎖時にあっては、地震の揺れ等による転倒も防止でき、扉石５を開放する際にも、軌道４の支持縁４ａを支点とした梃子の原理で、比較的容易に納骨口２を開いて扉石５を安定した起立状態とすることができる。扉石５を側方へ退避させる場合にあっても、比較的重い扉石５を、軌道４上を滑らせる（支持縁４ａを利用してもよい）ことで持ち上げずに移設できることから、力の無い墓参者においても負担なく安全に納骨口を開閉することができ、納骨室１から離隔することによって、開閉時において納骨室１や突条７との干渉が回避でき、墓石の表面を損傷させることもない。
【００２５】
図４に示す例は、扉石５の裏面に設けた接合面に、その上位から下位に亘ってコの字状に連続した水抜き溝１１を穿設したものである。この例は、扉石５の上縁部及び左右両側縁部に沿ったコの字状を呈し、一つながりに連続して左右下端から排水する水抜き溝１１であり、接合面と納骨口２周縁の隙間から侵入した水を、納骨口２へ水を侵入させる事無く集めて扉石５の下位に誘導するものである。尚、水抜き溝１１は、扉石５の接合面に面した納骨口２の周縁部に、当該扉石５に設けた水抜き溝１１と同様の形で穿設しても良く、状況に応じて、扉石５と納骨口２の周縁部の少なくとも一方に設ければよい。
【００２６】
図７に示す例は、納骨口２の上方にひさし１２、又は供物台１４を備えた例であり、図７（Ａ）に示す例は、納骨口２の側方に方立１３を備えた例であり、図７（Ｂ）に示す例は、供物台の下に倒れ止めを垂設したものである。
納骨室１の四方組が容易となり強度を高めることができる他、扉石５の存在によって納骨室１の容積を損なうこともなく、構造が簡単であり、軌道４を取り外し可能な構造とすれば、扉石５や軌道４を個別に交換することが容易ともなるあることから耐用年数が高く、良好な開閉を長期にわたって維持することができる。
【００２７】
本発明による墓石は、以上の如く構成され、納骨室１を開放する際には、納骨口２を封鎖した状態（図８（Ａ）参照）から扉石５を起立させ（図８（Ｂ））、開放台の傾斜に沿って扉石５の重心Ｏを表受け部４ｂの真上に移動させれば、当該墓石の扉石５は、軌道４上で安定した起立状態に保持できる（図８（Ｃ）参照）。
当該姿勢において僅かに表踏面５ａを浮かせれば、軌道４の支持縁４ａに沿って比較的容易に横滑りをさせることができる。
【００２８】
一方、納骨室１を閉鎖する際には、扉石５を納骨口２の前に置いて、扉石５を納骨室１に立て掛け（図８（Ｄ）参照）、扉石５の下部を納骨口２の周縁に押し当てることによって、扉石５は納骨口２を完全に封じることができる（図８（Ａ）参照）。その際、表踏面５ａが扉石５の外側から内側へ向かって下向きに傾斜していれば、扉石５の下部が納骨口２から離隔することを防止できる。
【符号の説明】
【００２９】
Ｏ  重心，ｍ１  モーメント，ｍ２  モーメント，
１  納骨室，１ａ  中台石，１ｂ  上台石，１ｃ  下台石，
２  納骨口，３  引き戸，
４  軌道，４ａ  支持縁，４ｂ  表受け部，４ｃ  裏受け部，
５  扉石，５ａ  表踏面， 
６  軌道離脱防止手段，６ａ  突出部，
７  突条，８  凹部，９  気道，１０  クボミ，
１１  水抜き溝，１２  ひさし，１３  方立，１４  供物台，
【図１】
0005832020.tif 000002
【図２】
0005832020.tif 000003
【図３】
0005832020.tif 000004
【図４】
0005832020.tif 000005
【図５】
0005832020.tif 000006
【図６】
0005832020.tif 000007
【図７】
0005832020.tif 000008
【図８】
0005832020.tif 000009